(57)【要約】【課題】緊急の場合に、重要項目の入力欄の近傍にソフトキーを配置させるように表示画面を変化させる医療診断装置を提供する。【解決手段】予め重要度が高いとされた項目を表示するための第１の領域と、予め重要度が低いとされた項目を表示するための第２の領域と、第２の領域を挟んで第１の領域と反対側にソフトキーとが配置された第１フォーマット０３１と、第１の領域と、該第１の領域に隣接する位置にソフトキーが配置された第２フォーマット０３２と、を記憶している記憶部００３と、第１フォーマット０３１を使用した画面の上にカーソルを重ね合わせて表示部０２２に表示させ、重要度が低いとされた項目の除外命令を受け、第２フォーマット０３２を使用した画面の上に前記カーソルを重ね合わせて表示部０２２に表示させる表示制御部００１とを備える。【選択図】図１
2009142476.tif 000002
【特許請求の範囲】
【請求項１】
表示手段に表示されているカーソルを移動させるための移動情報の入力、入力する項目の確定、及び特定の機能を担うソフトキーに対し確定の入力を行う入力手段と、
患者の体重や身長を含む予め重要度が高いとされた前記項目を表示するための第１の領域、予め重要度が低いとされた前記項目を表示するための第２の領域、及び前記第２の領域を挟んで前記第１の領域と反対側に前記ソフトキーとが配置された第１フォーマットと、前記第１の領域及び該第１の領域に隣接する位置に前記ソフトキーが配置された第２フォーマットと、を記憶している記憶手段と、
前記第１フォーマットを使用した画面の上に前記カーソルを重ね合わせて前記表示手段に表示させているときに、前記重要度が低いとされた項目の除外命令を受けた場合、前記第２フォーマットを使用した画面の上に前記カーソルを重ね合わせて前記表示手段に表示させる表示制御手段と、
を備えることを特徴とする医用診断装置。
【請求項２】
前記表示制御手段は、前記第１フォーマット及び前記第２フォーマットとして前記ソフトキーの前記画面上の座標情報を取得し、また前記カーソルの座標情報を取得し、さらに、前記カーソルの座標情報が前記ソフトキーの座標情報に含まれるときに、前記ソフトキーの確定の入力がなされると、前記ソフトキーが担う機能の実効命令を統括制御部に出力することを特徴とする請求項１に記載の医用診断装置。
【請求項３】
前記入力手段は緊急の検査であることを入力するための緊急検査ボタンをさらに備え、
前記緊急検査ボタンが押下されることにより、前記表示制御手段に前記重要度が低いとされた項目の除外命令が入力される
ことを特徴とする請求項１又は請求項２に記載の医用診断装置。
【請求項４】
前記第２フォーマットは、前記第１フォーマットから前記第２領域を消去し、該第２領域が表示されていた場所に前記第１領域の隣接する位置まで前記ソフトキーを拡大したフォーマットであることを特徴とする請求項１又は請求項２に記載の医用診断装置。
【請求項５】
前記表示制御手段は、前記第２フォーマットを使用した画面の上に前記カーソルを重ね合わせて前記表示手段に表示させている場合に、前記重要度が低いとされた項目の追加表示命令を受けると、前記第１フォーマットを使用した画面の上に前記カーソルを重ね合わせて前記表示手段に表示させることを特徴とする、請求項１乃至３のいずれか一つに記載の医用診断装置。
【発明の詳細な説明】
【技術分野】
【０００１】
本発明は、入力画面においてカーソルを使用する医用診断装置に関する。特に、緊急検査時に使用される医用診断装置に関する。
【背景技術】
【０００２】
一般に、医用診断装置では、ＨＩＳ（Ｈｏｓｐｉｔａｌ  Ｉｎｆｏｒｍａｔｉｏｎ  Ｓｙｓｔｅｍ）などの中央サーバから取得した検査予約リストから候補を選択し、詳細情報を入力・確認し、検査を登録するとともに、検査を実行する。
【０００３】
登録する項目には重要度の高い項目と低い項目とがある。そして、検査登録画面における医師や検査技師などの操作者（以下では、単に「操作者」という。）が行う操作は、例えば次の４つのステップに分類される。１．リスト選択、２．重要な詳細情報の入力、３．重要でない詳細の入力・確認、４．登録、といったステップである。
【０００４】
ここで、医用診断装置における入力画面では、リスト選択（上述の第１ステップ）用の検査項目のリストは画面の上部に幅広に配置される。そして、上述の第２ステップ〜第４ステップ用の入力欄は入力画面の残りの領域に配置される。第２ステップ、第３ステップにおいては、入力するための複数の項目が用意されている。
【０００５】
第１ステップ〜第３ステップの各ステップでは、第１ステップの入力後第２ステップの領域にカーソル（矢印や十字マークなど、「マーカ」や「ポインタ」ともいう。）を移動して選択するというように、カーソルをあるステップで使用する領域から次のステップへの領域へと操作者が手動で移動させ移動先の領域を選択の後、必要な項目へ情報の入力を行う必要がある。また、第１ステップ〜第３ステップにおける操作者による情報の入力が終わると、第４ステップとして画面上に表示されたソフトキーであるスタートボタンの上へカーソルを移動させる。ここで、ソフトキーとは、表示画面上に、例えばボタン形状の枠に機能名（画像やアイコンでも可）が付されたキーであって、ソフトで特定の機能を実行するために機能が割り付けられたキーを言う。したがって、ソフトキーにカーソルを合わせてクリックをして確定することにより、その特定機能が実行される。操作者は該スタートボタンをクリックすることで、操作者は検査の登録を行なうとともに、検査開始の実行命令を対象とする医用診断装置に入力する。このときカーソルを次の位置まで都度正確に移動させることは煩雑である。そこで、従来、医用診断装置の中には使用頻度が高いボタンへ自動的にカーソルを移動する技術が提案されている。また、カーソルの初動情報を基に対応する移動先へカーソルを自動的に移動する技術（特許文献１参照。）が提案されている。
【０００６】
【特許文献１】特開２００７−２７５５５８号公報
【発明の開示】
【発明が解決しようとする課題】
【０００７】
しかし、Ｘ線ＣＴ装置などの医用診断装置では緊急時において第２のステップの重要な詳細情報の入力を行った後、第３のステップをスキップして第４のステップの入力が行われる。このため、操作者はカーソルを第２ステップの入力欄がある場所から、第４ステップのスタートボタンなどへとカーソルを移動させる必要がある。特に近年、医用診断装置においては多機能化の影響により扱う情報が増大したことで画面に表示する項目も増加した。そして、このように増加した項目を画面に表示するため画面の大型化がなされている。そして、第２ステップの入力欄から第４ステップにおけるスタートボタンへカーソルを移動するには、第３ステップの入力欄が配置されている領域を越えていかなければならず、カーソルの移動量が多くなってしまう。そのため、操作者によるカーソルの移動の負担が大きくなってしまう。また、前述のように、使用頻度が高いボタンへ自動的にカーソルを移動する技術があるが、移動量が多い場合に自動的にカーソルが移動してしまうと操作者がカーソルを見失い易く、カーソル移動の操作を容易にすることが困難である。さらに、特許文献１の技術では、画面に配置された各領域の配置の変更は行われない。したがって、重要でない情報を入力するための領域が画面上に表示されてしまう。この場合、特殊な設定を行なわない限り、重要な情報を入力後に、重要でない情報を入力するための領域を飛び越えてスタートボタンなどの上に直接カーソルを飛ばすことは困難である。
【０００８】
この発明は、このような事情に鑑みてなされたもので、緊急の場合に、重要項目の入力欄の近傍にソフトキーを配置させるように表示画面を変化させる医用診断装置を提供することを目的としている。
【課題を解決するための手段】
【０００９】
上記目的を達成するために、請求項１に記載の医用診断装置は、表示手段に表示されているカーソルを移動させるための移動情報の入力、入力する項目の確定、及び特定の機能を担うソフトキーに対し確定の入力を行う入力手段と、患者の体重や身長を含む予め重要度が高いとされた前記項目を表示するための第１の領域、予め重要度が低いとされた前記項目を表示するための第２の領域、及び前記第２の領域を挟んで前記第１の領域と反対側に前記ソフトキーとが配置された第１フォーマットと、前記第１の領域及び該第１の領域に隣接する位置に前記ソフトキーが配置された第２フォーマットと、を記憶している記憶手段と、前記第１フォーマットを使用した画面の上に前記カーソルを重ね合わせて前記表示手段に表示させているときに、前記重要度が低いとされた項目の除外命令を受けた場合、前記第２フォーマットを使用した画面の上に前記カーソルを重ね合わせて前記表示手段に表示させる表示制御手段と、を備えることを特徴とするものである。
【発明の効果】
【００１０】
請求項１に記載の医用診断装置によると、重要度が低い項目が不要な場合に重要度が高い項目の近隣にソフトキーが配置された画面を表示することができる。これにより、操作者は重要項目の入力後にソフトキーまでの長い距離のカーソル移動を行う必要がなくなる。また、操作者は容易にソフトキーを発見することができる。したがって、重要度が高い項目への情報の入力が終了した後、操作者は迅速にソフトキーの確定の入力を行うことが可能となる。
【発明を実施するための最良の形態】
【００１１】
〔第１の実施形態〕
以下、この発明の第１の実施形態に係る医用診断装置について説明する。図１は本発明に係る医用診断装置の機能を表すブロック図である。以下では医用診断装置の一例としてＸ線ＣＴ装置を例に説明する。ただし、本発明に係る医用診断装置は超音波診断装置、ＭＲＩ、又はＸ線装置などで、入力画面上でカーソルを用いるものであればＸ線ＣＴ装置以外のものでもよい。
【００１２】
操作者は、ユーザインタフェース００２に含まれる表示部０２２を参照しながら、キーボード、トラックボールなどを含む入力部０２１を使用して表示制御部００１に対して、カーソルの移動情報の入力や、入力項目の確定や、ソフトキーの機能の実行の入力などを行う。この入力部０２１が本発明における「入力手段」にあたる。具体的には、操作者は、トラックボールなどを回転させることで回転数や回転方向に対応する移動距離が移動情報として入力する。また、操作者は、入力欄の上にカーソルを移動させクリックすることで入力項目の確定を行う。さらに、操作者は、ソフトキーの上にカーソルを移動させクリックすることでソフトキーの担う機能の実行の確定の入力を行う。
【００１３】
記憶部００３は、第１フォーマット０３１及び第２フォーマット０３２を予め記憶している。この記憶部００３が本発明における「記憶手段」にあたる。第１フォーマット０３１は図２の入力画面２００に示すようなフォーマットである。図２は第１フォーマット０３１を使用した入力画面２００の一例の図である。以下では、フォーマットとは表示部０２２に表示される画面の基となる座標情報などで記述されたデータを指し、入力画面とは該フォーマットを基に表示部０２２に実際に表示された状態のものを指す。
【００１４】
第１フォーマット０３１に記述されている各領域を入力画面２００を使用して説明する。入力画面２００の上部に検査選択入力領域２０１が配置されている。検査選択入力領域２０１は、検査の種類が記入された領域である。検査の種類は患者単位で存在する。検査２０５は検査の一例である。そして、操作者は検査選択入力領域２０１を参照しどの検査を行うかを表示された検査の候補の中から選択する。また、入力画面２００の下部左側に主要項目入力領域２０２が配置されている。主要項目入力領域２０２は、身長入力欄２０６及び体重入力欄２０７などの重要な項目が配置された領域である。操作者は、主要項目入力領域２０２を参照し重要な項目の入力を行う。この主要項目入力領域２０２の項目が本発明における「重要度が高いとされる項目」にあたる。また、この主要項目入力領域２０２が第１フォーマット０３１における本発明の「第１の領域」にあたる。この主要項目入力領域２０２の項目として他には、患者ＩＤ、患者名、性別、生年月日、撮影条件などがある。これらの項目は適切な検査を行うための重要な情報である。入力画面２００の下部中央に副項目入力領域２０３が配置されている。副項目入力領域２０３は、入力が無くても検査が行える項目が配置された領域である。ここで、入力が無くても検査が行える項目とは、サイト名、技師名、現在時刻、予約ＩＤなどの通常修正を行わない情報及び診断医師名などの仮の情報といった項目である。操作者は副項目入力領域２０３を参照しその項目に入力を行う。この入力が無くても検査が行える項目が本発明における「重要度が低いとされる項目」にあたる。また、この副項目入力領域２０３が本発明における「第２の領域」にあたる。さらに、入力画面２００の下部右側にはボタン領域２０４が配置されている。ボタン領域２０４は、特定の機能を有するソフトキーを配置する領域である。このソフトキーとしては、検査登録ボタン２０８、スケジュール登録ボタン（不図示）などがある。
【００１５】
また、第２フォーマット０３２は図３の入力画面３００の基になるフォーマットである。ここで、図３は第１の実施形態における第２フォーマット０３２を使用した入力画面３００の一例の図である。第２フォーマット０３２に記述されている各領域を図３の入力画面３００を使用して説明する。入力画面３００には、入力画面２００と同様に、上部に検査選択入力領域３０１が配置されている。検査選択入力領域３０１は、検査の種類が記入された領域である。検査３０４は検査の一例である。そして、操作者は検査選択入力領域３０１を参照しどの検査を行うかを表示された検査の候補の中から選択する。また、入力画面３００の下部左側に主要項目入力領域３０２が配置されている。主要項目入力領域３０２は、身長入力欄３０５及び体重入力欄３０６などの重要な項目が配置された領域である。操作者は、主要項目入力領域３０２を参照し重要な項目の入力を行う。この主要項目入力領域３０２が第２フォーマット０３２における本発明の「第１の領域」にあたる。そして、第１フォーマット０３１と同様に、この主要項目入力領域３０２に配置された項目として他に、患者ＩＤ、患者名、性別、生年月日、撮影条件などがある。これらの項目は適切な検査を行うための重要な情報である。さらに、入力画面３００の下部右側にはボタン領域３０３が配置されている。ボタン領域３０３は、特定の機能を有するソフトキーを配置する領域である。このソフトキーとしては、検査登録ボタン３０７、スケジュール登録ボタン（不図示）などがある。そして、第２フォーマット０３２では第１フォーマット０３１と異なり、副項目入力領域は入力画面３００上には配置されていない。
【００１６】
ここで、記憶部００３に記憶されている第１フォーマット０３１は図２に表わすような図形として、第２フォーマット０３２は図３に表わすような図形として表現されているが、実際には第１フォーマット０３１及び第２フォーマット０３２は画面上のＸＹ座標で表されているものである。本実施形態では表示部０２２は、Ｘ方向（図２及び図３の横方向）に１６００ピクセル、Ｙ方向（図２及び図３の縦方向）に１２００ピクセル並んでいる画面を有している。そして、表示部０２２上の２次元の位置を表わすのに、画面上の各点のピクセル位置を座標情報として（Ｘ，Ｙ）で表わされる。すなわち、入力画面の第１フォーマット０３１や第２フォーマット０３２は、患者情報や検査情報などを入力する各入力欄及び、検査登録ボタン２０８又は検査登録ボタン３０７やスケジュール登録ボタンなどの特定の機能を担うソフトキーといった画面を構成する各々のソフト部品の位置が前述の座標情報として記憶部００３に記憶されているものである。
【００１７】
表示制御部００１は、Ｘ線ＣＴ装置による検査情報を入力するための入力画面を表示部０２２に表示させる「入力モード」と、Ｘ線ＣＴ装置による検査が開始され入力画面により入力された情報に基づき各機能部００５が有する機能の実行により生成されたＸ線ＣＴ画像を表示部０２２に表示させる「Ｘ線ＣＴ画像表示モード」という２つの表示モードを有している。さらに、「入力モード」には、通常の入力を行う場合の「通常入力モード」と緊急に検査を行う場合の「緊急入力モード」を有している。そこで、以下では「入力モード」について詳細に説明する。この表示制御部００１が本発明における「表示制御手段」にあたる。以下通常入力モードの場合と緊急入力モードの場合に分けて説明する。
【００１８】
（通常入力モード）
表示制御部００１は、表示部０２２の画面上の各点の位置を２次元の座標情報として有している。表示制御部００１は、電源が入れられるとまず図２に示すような第１フォーマット０３１を記憶部００３から読み込む。そして、表示制御部００１は、入力画面の第１フォーマット０３１を基に、患者情報や検査情報を入力するための入力画面２００を表示部０２２に表示させる。実際には上述のように記憶部００３には各ソフト部品の座標情報が記憶されており、表示制御部００１はその座標情報を基に入力画面２００を表示部０２２に表示させる。したがって、第１フォーマット０３１を読み込んだ表示制御部００１は、各入力欄や各ソフトキーを表す領域の座標情報を取得することになる。このように、表示制御部００１は、座標情報を取得することにより後述するようにカーソルの座標情報を基に該カーソルがソフトキーの上に位置するか否かを判断することが可能となる。
【００１９】
操作者はトラックボールなどの入力部０２１を使用してカーソル２０９（図２参照）を入力画面２００上での移動情報を表示制御部００１へ入力する。表示制御部００１は、カーソル２０９の移動情報に含まれる移動距離などを基に操作者の所望の位置へカーソル２０９を移動させる。さらに、いずれかの入力欄の上にカーソル２０９が重ね合わさっているときに、操作者は確定ボタンなどの入力部０２１からの確定の入力を行う。この入力欄の確定の入力を受けて、表示制御部００１はその入力欄への入力を可能な状態にする。
【００２０】
操作者は入力画面２００上の検査選択入力領域２０１に表示された複数の検査の中の一つの検査である検査２０５を選択する。この選択を受けて、表示制御部００１は、検査２０５に対応する主要項目入力領域２０２の項目を表示する。このとき、ＨＩＳ（Ｈｏｓｐｉｔａｌ  Ｉｎｆｏｒｍａｔｉｏｎ  Ｓｙｓｔｅｍ：診察や検査の予約などを管理する病院情報システム）から該項目の内容となる情報を受信している場合には、表示制御部００１はその情報を対応する主要項目入力領域２０２の項目に入力して表示させる。さらに、表示制御部００１は、検査２０５に対応する副項目入力領域２０３の項目を表示する。このとき、ＨＩＳから該項目の内容となる情報を受信している場合には、表示制御部００１はその情報を対応する副項目入力領域２０３に表示する。
【００２１】
検査選択後、表示制御部００１により主要項目入力領域２０２及び副項目入力領域２０３の表示が行われたのち、操作者は主要項目入力領域２０２の身長入力欄２０６に被検体の身長の入力、体重入力欄２０７に被検体の体重の入力、その他入力すべき情報の入力を行う。次に、操作者は副項目入力領域２０３に入力すべき情報がある場合には情報の入力を行う。このとき入力すべき情報がない場合には、操作者は副項目入力領域２０３に表示されている情報を参照する。副項目入力領域２０３への入力終了後、操作者はトラックボールなどの入力部０２１を使用して入力画面２００上で、ボタン領域２０４の検査登録ボタン２０８にカーソル２０９を合わせるよう入力する。
【００２２】
表示制御部００１は、カーソル２０９の検査登録ボタン２０８上への移動命令を受けて、カーソル２０９が検査登録ボタン２０８上に重ね合わさるように表示させる。ここで、表示制御部００１は、上述のように記憶部００３から第１フォーマット０３１を読み込んだときに、入力画面２００の各ソフト部品の座標情報を取得している。したがって、カーソル２０９を表示する座標情報として検査登録ボタン２０８上の座標情報が入力されれば、表示制御部００１はカーソル２０９が検査登録ボタン２０８に重なっていると判断できる。
【００２３】
表示制御部００１は、カーソル２０９が検査登録ボタン２０８上に重ね合っている状態で、操作者からの確定ボタンなどの入力部０２１からの確定の入力を受けると、検査登録ボタン２０８が担う機能の実行命令を統括制御部００４へ出力する。
【００２４】
以上の通常入力モードにおけるカーソル２０９の動きをまとめると、図４に矢印で示すようになる。ここで図４は通常入力モードにおけるカーソル２０９の移動を説明するための図である。すなわち、まず操作者は、カーソル２０９を矢印４０１のように検査選択入力領域２０１から主要項目入力領域２０２に移動させる。次に操作者は、カーソル２０９を矢印４０２のように主要項目入力領域２０２から副項目入力領域２０３へ移動させる。さらに、操作者は、矢印４０３のようにカーソル２０９を副項目入力領域２０３からボタン領域２０４の検査登録ボタン２０８上へ移動させる。または、副項目入力領域２０３への入力がない場合には、操作者は、矢印４０４のようにカーソル２０９を主要項目入力領域２０２から直接ボタン領域２０４の検査登録ボタン２０８上へ移動させる。
【００２５】
（緊急入力モード）
表示制御部００１は、入力画面２００が表示部０２２に表示されている状態（図２参照）で、トラックボールなどの入力部０２１からカーソル２０９の緊急検査ボタン２１０上への移動命令を受けて、カーソル３０８を緊急検査ボタン２１０に重ね合わせて表示する。そして、カーソル２０９が緊急検査ボタン２１０に重なっている状態で、確定ボタンなどの入力部０２１から確定の入力を受けると、表示制御部００１は、記憶部００３から第２フォーマット０３２を読み出し、表示部０２２に図３に示すような入力画面３００を表示させる。この場合、入力画面３００には検査選択入力領域３０１、主要項目入力領域３０２、及びボタン領域３０３のみが表示され、図２で入力画面２００に表示されていた副項目入力領域２０３は表示されない。これは、緊急の検査においては、適切な検査を行うための重要な項目の入力のみを行えばよく、重要でない項目であるサイト名、現在時刻、又は予約ＩＤなどは参照の必要さえもないため表示しない構成となっている。この重要でない項目を除いた入力画面３００を表示させるために緊急検査ボタン２１０にカーソルを合わせて確定を入力することが、本発明における「重要度が低いとされた項目の除外命令」にあたる。このように、表示制御部００１が入力画面３００を表示することで緊急入力モードに切り替わる。ここで、本実施形態では緊急検査ボタン２１０のようなソフトキーを緊急検査ボタンとしているが、トラックボールなどのそばに配置されたハード的なボタンを緊急検査ボタンとして備えた構成でもよい。
【００２６】
操作者は入力画面２００上の検査選択入力領域３０１から検査３０４を選択する。この選択を受けて、表示制御部００１は、検査３０４に対応する主要項目入力領域３０２の項目を表示する。ＨＩＳから該項目の情報の内容を受信している場合には、その情報を対応する主要項目入力領域３０２の項目に表示させる。
【００２７】
検査選択後、表示制御部００１により主要項目入力領域３０２の表示が行われた後、操作者は主要項目入力領域３０２の身長入力欄３０５に被検体の身長の入力、体重入力欄３０６に被検体の体重の入力、その他入力すべき情報の入力を行う。主要項目入力領域３０２への入力終了後、操作者はトラックボールなどの入力部０２１を使用して入力画面３００上で、ボタン領域３０３の検査登録ボタン３０７にカーソル３０８を合わせるようカーソル３０８の移動を入力する。
【００２８】
表示制御部００１は、カーソル３０８の検査登録ボタン３０７上への移動命令を受けて、カーソル３０８が検査登録ボタン３０７上に重ね合わさるように表示させる。ここで、表示制御部００１は、上述のように記憶部００３から第２フォーマット０３２を読み込んだときに、入力画面３００の各ソフト部品の座標情報を取得している。したがって、カーソル３０８を表示する座標情報として検査登録ボタン３０７上の座標情報が入力されれば、表示制御部００１はカーソル３０８が検査登録ボタン３０７に重なっていると判断できる。
【００２９】
表示制御部００１は、カーソル３０８が検査登録ボタン３０７上に重ね合っている状態で、操作者からの確定ボタンなどの入力部０２１からの確定の入力を受けると、検査登録ボタン３０７が担う機能、すなわち検査登録及び検査開始の実行命令を統括制御部００４へ出力する。
【００３０】
このように、表示制御部００１は、第１フォーマット０３１では検査登録ボタン２０８の座標情報を主要項目入力領域２０２から離れた場所の座標情報として認識し、第２フォーマット０３２では検査登録ボタン３０７の座標情報を主要項目入力領域３０２の隣接した座標情報として認識することになる。このように、第１フォーマット０３１の検査登録ボタン２０８と第２フォーマット０３２の検査登録ボタン３０７との場合で異なる座標情報を取得することにより、表示制御部００１は第２フォーマット０３２を使用する緊急入力モードにおいて主要項目入力領域３０２に隣接して検査登録ボタン３０７が配置されていると認識することができる。
【００３１】
以上の緊急入力モードにおけるカーソル３０８の動きをまとめると、図５に矢印で示すようになる。ここで図５は緊急入力モードにおけるカーソル３０８の移動を説明するための図である。すなわち、まず操作者は、カーソル３０８を矢印５０１のように検査選択入力領域３０１から主要項目入力領域３０２に移動させる。次に操作者は、矢印５０２のようにカーソル３０８を主要項目入力領域３０２から直接ボタン領域３０３の検査登録ボタン３０７上へ移動させる。
【００３２】
このように緊急検査モードでは主要項目入力領域３０２と検査登録ボタン３０７が隣接しているため、カーソル３０８の移動距離が通常モードの場合と比べて短くてすむ。すなわち、通常入力モードの場合、図４に示す副項目入力領域２０３への入力を行わない場合には矢印４０４のように副項目入力領域２０３を横切って検査登録ボタン２０８までカーソル２０９を移動させる必要がある。これに対し、緊急入力モードの場合、図５の矢印５０２のように主要項目入力領域３０２からその隣に配置された検査登録ボタン３０７までカーソル３０８を移動させるだけでよい。その移動距離の差は矢印４０４と矢印５０２を比較した場合、５倍近くになっている。このように、通常入力モードでの入力画面２００と緊急入力モードでの入力画面３００とを切り替えることで、緊急入力モードにおける検査情報の入力及び登録の操作を容易にすることができる。
【００３３】
統括制御部００４は、各機能部００５及び表示制御部００１への実行命令の送受信や動作のタイミングの管理などＸ線ＣＴ装置全体の統括制御を行う。この統括制御部００４が本発明における「統括制御手段」にあたる。
【００３４】
機能部００５は、Ｘ線照射部、Ｘ線検出部、Ｘ線照射部及びＸ線検出部を被検体の周りで回転させるガントリ、被検体を載せて体軸方向の移動を行う寝台、及び画像生成部（すべて不図示）などの複数の機能部００５で構成されている。各機能部００５はそれぞれが担う機能を実行しＸ線ＣＴ画像を生成する。
【００３５】
次に、図６を参照して、第１の実施形態に係る医用診断装置における入力画面の表示の流れを説明する。図６は第１の実施形態に係る医用診断装置における入力画面の表示及び入力画面を使用した情報の入力のフローチャートの図である。
【００３６】
ステップＳ００１：表示制御部００１は、記憶部００３から第１フォーマット０３１を読み込み、入力画面２００（図２参照）を表示部０２２に表示させる。
【００３７】
ステップＳ００２：表示制御部００１は、入力部０２１から緊急モードへの変更の指示の入力がなされたか否かを判断する。緊急モードへの変更の指示がなされた場合は、ステップＳ００３に進む。緊急モードへの変更の指示がない場合は、ステップＳ０１０に進む。
【００３８】
ステップＳ００３：表示制御部００１は、記憶部００３から第２フォーマット０３２を読み込み、入力画面３００（図３参照）を表示部０２２に表示させる。
【００３９】
ステップＳ００４：操作者は、表示部０２２に表示された入力画面３００の中の検査選択入力領域３０１から検査を選択する。
【００４０】
ステップＳ００５：表示制御部００１は、入力部０２１からのカーソル３０８の移動情報を基に、カーソル３０８を主要項目入力領域３０２に移動させる。
【００４１】
ステップＳ００６：操作者は、主要項目入力領域３０２の入力欄に必要な情報の入力を行う。
【００４２】
ステップＳ００７：表示制御部００１は、入力部０２１からのカーソル３０８の移動情報を基に、カーソル３０８をボタン領域３０３の検査登録ボタン３０７上に移動させる。
【００４３】
ステップＳ００８：操作者は、カーソル３０８が検査登録ボタン３０７に重なっている状態でクリックするなどして検査登録の確定を入力する。
【００４４】
ステップＳ００９：表示制御部００１は、入力部０２１からの検査登録の確定の入力を受けて、統括制御部００４に検査登録及び検査開始の実行命令を出力する。
【００４５】
ステップＳ０１０：操作者は、表示部０２２に表示された入力画面２００の中の検査選択入力領域２０１から検査を選択する。
【００４６】
ステップＳ０１１：表示制御部００１は、入力部０２１からのカーソル２０９の移動情報を基に、カーソル２０９を主要項目入力領域２０２に移動させる。
【００４７】
ステップＳ０１２：操作者は、主要項目入力領域２０２の入力欄に必要な情報の入力を行う。
【００４８】
ステップＳ０１３：操作者が副項目の入力が必要か否か判断する。必要な場合にはステップＳ０１４に進む。不要な場合にはステップＳ０１６に進む。
【００４９】
ステップＳ０１４：表示制御部００１は、入力部０２１からのカーソル２０９の移動情報を基に、カーソル２０９を副項目入力領域２０３に移動させる。
【００５０】
ステップＳ０１５：操作者は、副項目入力領域２０３の入力欄に必要な情報の入力を行う。
【００５１】
ステップＳ０１６：表示制御部００１は、入力部０２１からのカーソル２０９の移動情報を基に、カーソル２０９をボタン領域２０４の検査登録ボタン２０８上に移動させる。
【００５２】
ステップＳ０１７：操作者は、カーソル２０９が検査登録ボタン２０８に重なっている状態でクリックするなどして検査登録の確定を入力する。
【００５３】
本実施形態においては、図３に示すように副項目入力領域が表示されなくなった場所でソフトキーを拡大表示することで主要項目入力領域にソフトキーを隣接させたが、この隣接方法は他の方法でも良く、たとえば小さいソフトキーのまま主要項目入力領域の近くに配置することでソフトキーを主要項目入力領域に隣接させる方法でもよい。
【００５４】
また、本実施形態では、各ソフト部位の情報を有する２種類のフォーマットを用意したが、これは１つのフォーマットの中でソフトキーを表す座標情報を変更する構成でもよい。この場合にはソフトキーの座標情報の変更後のフォーマットが第２フォーマットになる。
【００５５】
以上で説明したように、本実施形態に係る医用診断装置においては、通常は重要度の低いとされる項目を表示する領域を含む入力画面を表示しているが、緊急時には、入力や参照を必要としない重要度の低い項目を表示する領域を入力画面から省き、重要度の高いとされる項目が表示されている領域の近隣に今朝登録ボタンなどのソフトキーを配置した入力画面が表示される。これにより、緊急時における操作者によるカーソルの不要な移動を軽減することが可能となる。したがって、本実施形態に係る医用診断装置は迅速な検査に寄与することが可能となる。
【００５６】
〔第２の実施形態〕
以下、この発明の第２の実施形態に係る医用診断装置について説明する。第２の実施形態においてもその機能を表すブロック図は第１の実施形態と同様に図１で表わされる。第２の実施形態に係る医用診断装置は、第２フォーマット０３２を使用した入力画面から第１フォーマット０３１を使用した入力画面に切り替えることが可能であることが第１の実施形態と異なる。そこで、第２フォーマット０３２を使用した入力画面から第１フォーマット０３１を使用した入力画面への切り替えを主に説明する。
【００５７】
記憶部００３は第２フォーマット０３２として図７に示すような入力画面７００のフォーマットを記憶している。図７は第２の実施形態における第２フォーマット０３２を使用した入力画面７００の一例の図である。図７に示す入力画面７００は、図３に示す第１の実施形態に係る入力画面３００と異なり、第１フォーマット０３１への切替ボタン７０３を有している。本実施形態では第２フォーマット０３２の主要項目入力領域７０２から副項目入力領域がスライドして現れるイメージを持たせるため、主要項目入力領域７０２の脇に切替ボタン７０３を配置したが、これは他の場所でもよく、例えばボタン領域７０４に配置してもよい。また、記憶部００３は第１フォーマット０３１として図２に示すような入力画面２００のフォーマットを記憶している。
【００５８】
まず、表示制御部００１は、第１フォーマット０３１を記憶部００３から読み出し、表示部０２２に入力画面２００を表示させる。
【００５９】
次に、表示制御部００１は、緊急入力モードへの切り替えの入力を受けて、第２フォーマット０３２を記憶部００３から読み出し、表示部０２２に入力画面７００を表示させる。
【００６０】
さらに、入力画面７００を表示している状態で、操作者は入力部０２１を用いてカーソル７０７の切替ボタン７０３上への移動を入力する。さらに、カーソル７０７が切替ボタン７０３上に重ねあっている状態で、操作者はクリックするなどして入力部０２１から切り替え確定の入力を行う。
【００６１】
表示制御部００１は、切り替え確定の入力を受けて、記憶部００３から第１フォーマット０３１を読み出し、表示部０２２に入力画面２００を表示させる。
【００６２】
以上で説明したように、第２の実施形態に係る医用診断装置においては、重要度の低いとされる項目を表示する領域が表示されていない状態の入力画面から、重要度の低いとされる項目を表示する領域が表示されている入力画面へ、画面の表示を切り替えることができる。これにより、重要度が低いとして表示されていない情報が必要になった場合に、該情報を参照することが可能となる。
【図面の簡単な説明】
【００６３】
【図１】本発明に係る医用診断装置の機能を表すブロック図
【図２】第１フォーマットを使用した入力画面の一例の図
【図３】第１の実施形態における第２フォーマットを使用した入力画面の一例の図
【図４】通常入力モードにおけるカーソルの移動を説明するための図
【図５】緊急入力モードにおけるカーソルの移動を説明するための図
【図６】第１の実施形態に係る医用診断装置における入力画面の表示及び入力画面を使用した情報の入力のフローチャートの図
【図７】第２の実施形態における第２フォーマットを使用した入力画面の一例の図
【符号の説明】
【００６４】
００１  表示制御部
００２  ユーザインタフェース
０２１  入力部
０２２  表示部
００３  記憶部
０３１  第１フォーマット
０３２  第２フォーマット
００４  統括制御部
００５  機能部
【図１】
2009142476.tif 000003
【図２】
2009142476.tif 000004
【図３】
2009142476.tif 000005
【図４】
2009142476.tif 000006
【図５】
2009142476.tif 000007
【図６】
2009142476.tif 000008
【図７】
2009142476.tif 000009